(57)【要約】    【課題】  慣性以外の原因によるヘッドレストの前後動し、着座フィーリングの低下。    【構成】  ヘッドレスト６を背凭フレーム３にアクティブ機構Ａを介して前後移動可能に取付け、後方からの追突の慣性により後方移動する着座者の頭部を、前記アクティブ機構Ａにより前進させたヘッドレスト６により支持するように構成し、前記アクティブ機構Ａには、該アクティブ機構Ａの一部に作用して、後突以外の原因によるヘッドレスト６の前方移動を停止させる保持機構５０を設ける。前記アクティブ機構Ａは、ヘッドレスト６を取付けたヘッドレスト取付杆１０と、該ヘッドレスト取付杆１０を前記背凭フレーム３に対して前後動させる上側リンク杆１３により構成する。【選択図】    図５
2006347436.tif 000002
【特許請求の範囲】
【請求項１】
ヘッドレスト６を背凭フレーム３にアクティブ機構Ａを介して前後移動可能に取付け、後方からの追突の慣性により後方移動する着座者の頭部を、前記アクティブ機構Ａにより前進させたヘッドレスト６により支持するように構成し、前記アクティブ機構Ａには、該アクティブ機構Ａの一部に作用して、後突以外の原因によるヘッドレスト６の前方移動を停止させる保持機構５０を設けた車両用シート。
【請求項２】
請求項１において、前記アクティブ機構Ａは、ヘッドレスト６を取付けたヘッドレスト取付杆１０と、該ヘッドレスト取付杆１０を前記背凭フレーム３に対して前後動させる上側リンク杆１３により構成し、前記保持機構５０は、前記ヘッドレスト取付杆１０が嵌合する一対の係合体５３を有する保持部５２により構成した車両用シート。
【請求項３】
請求項２において、前記係合体５３の嵌合溝５６に嵌合するヘッドレスト取付杆１０の断面形状を略正円形状に形成し、前記嵌合溝５６は、前記ヘッドレスト取付杆１０が嵌合する部分の一対の係合体５３の内面をヘッドレスト取付杆１０に外径に合わせた円弧面に形成し、先端側は幅狭に形成した車両用シート。
【請求項４】
請求項３において、前記保持部５２は、合成樹脂製の合成樹脂連結部５４Ａと金属製の金属製連結部５４Ｂとを重ねて連結部５４を形成し、該連結部５４に続いて合成樹脂製の合成樹脂製係合体５３Ａと金属製の金属製係合体５３Ｂとを重ねて係合体５３を形成して構成した車両用シート。
【発明の詳細な説明】
【技術分野】
【０００１】
本発明は、後方からの衝突を受けて慣性により着座者が後方移動する所謂「後突」のときに、前方移動して頭部を支持するヘッドレストを設けた車両用シートに係るものである。
【背景技術】
【０００２】
従来、背凭シートの上部に設けたヘッドレストが、着座者の背中後方に位置する背凭シート内の可動フレームの後方回動により前方回動して着座者の頭部を支持する構成は公知である（例えば、特許文献１）。
【特許文献１】特開平１０−１１９６１９号公報
【発明の開示】
【発明が解決しようとする課題】
【０００３】
前記公知例は、着座者の背部が後突時の慣性により後側に移動することで、可動フレームを後方移動させ、この可動フレームの移動を梃の原理でヘッドレストの前方移動に変換して頭部を支持している。
そのため、後突以外の原因により後突の慣性力よりも少ない荷重の場合でも、可動フレームが後方移動すると、ヘッドレストは前方移動してしまって、ヘッドレストが頭部を押して、着座者に不快感を与えるという課題がある。
本願は、着座者の後方移動を感知してヘッドレストを前方移動させる構成でありながら、後突以外では頭部をヘッドレストが押すのを防止したものである。
【課題を解決するための手段】
【０００４】
本発明は、ヘッドレスト６を背凭フレーム３にアクティブ機構Ａを介して前後移動可能に取付け、後方からの追突の慣性により後方移動する着座者の頭部を、前記アクティブ機構Ａにより前進させたヘッドレスト６により支持するように構成し、前記アクティブ機構Ａには、該アクティブ機構Ａの一部に作用して、後突以外の原因によるヘッドレスト６の前方移動を停止させる保持機構５０を設けた車両用シートとしたものである。
本発明は、前記アクティブ機構Ａは、ヘッドレスト６を取付けたヘッドレスト取付杆１０と、該ヘッドレスト取付杆１０を前記背凭フレーム３に対して前後動させる上側リンク杆１３により構成し、前記保持機構５０は、前記ヘッドレスト取付杆１０が嵌合する一対の係合体５３を有する保持部５２により構成した車両用シートとしたものである。
本発明は、前記係合体５３の嵌合溝５６に嵌合するヘッドレスト取付杆１０の断面形状を略正円形状に形成し、前記嵌合溝５６は、前記ヘッドレスト取付杆１０が嵌合する部分の一対の係合体５３の内面をヘッドレスト取付杆１０に外径に合わせた円弧面に形成し、先端側は幅狭に形成した車両用シートとしたものである。
本発明は、前記保持部５２は、合成樹脂製の合成樹脂連結部５４Ａと金属製の金属製連結部５４Ｂとを重ねて連結部５４を形成し、該連結部５４に続いて合成樹脂製の合成樹脂製係合体５３Ａと金属製の金属製係合体５３Ｂとを重ねて係合体５３を形成して構成した車両用シートとしたものである。
【発明の効果】
【０００５】
請求項１の発明では、保持機構５０によりヘッドレスト６を所定位置に保持するので、後突以外の原因でヘッドレストが頭部を押すのを防止して、アクティブ機構Ａを設けた車両用シートでありながら、着座者に与える不快感を抑制して着座感を向上させることができ、また、後突のときには着座者の頭部を支持してむち打ち症を予防できる。
請求項２の発明では、ヘッドレスト取付杆１０を保持部５２の一対の係合体５３に嵌合させて保持するので、保持力の設定が容易で確実に作動させることができ、簡素に構成でき、部品点数を減少させて、安価にできる。
請求項３の発明では、ヘッドレスト取付杆１０と保持部５２の保持および開放を一層確実にできる。
請求項４の発明では、合成樹脂製係合体５３Ａと金属製係合体５３Ｂとにより係合体５３を形成しているので、係合体５３とヘッドレスト取付杆１０とが設定以上に固く嵌合するのを防止でき、特に、経年変化に対する耐久性を向上させて、確実にヘッドレスト取付杆１０を開放してアクティブ機構Ａを作動させ、むち打ち症を予防できる。
【実施例１】
【０００６】
本発明の一実施例を図面により説明すると、１は車両用シート、２は車両用シート１の背凭シートであり、該背凭シート２は背凭フレーム３にクッション材４を取付け、クッション材４の外周を表皮部材５により包囲して構成している。
背凭シート２の上部にはヘッドレスト６を設ける。ヘッドレスト６の構成は任意であり、少なくとも着座者の頭部を支持する頭部支持部７と、前記背凭シート２に装着するためピラー８とを設けて構成している。
ヘッドレスト６のピラー８は、前記左右方向のヘッドレスト取付杆１０に設けたピラー支持部材１１に高さ調節自在に取付ける。ピラー８とピラー支持部材１１の構成は公知であり、図示は省略するが、ピラー支持部材１１に設けた係合部材を所望高さに位置させたピラー８に形成した係合凹部に選択的に係合させて保持すればよい。
【０００７】
ヘッドレスト６は、後述する後突感知体１２が後突を感知すると、アクティブ機構Ａにより着座者の頭部後方の所定位置から前方移動させられて着座者の頭部を支持するように構成する。アクティブ機構Ａの構成は、任意であるが、以下一例を示す。
アクティブ機構Ａは、前記ヘッドレスト取付杆１０をの左右両側に、上側リンク杆１３の上部に固定し、上側リンク杆１３の上下中間部は回動軸１４により背凭フレーム３の側部フレーム１５に回動自在に取付けて構成する。上側リンク杆１３は前記後突感知体１２とヘッドレスト６とを連結するリンク機構Ｌの一部を兼用する。
【０００８】
この場合、上側リンク杆１３は、回動軸１４より上側を上リンクアーム部１６に形成し、回動軸１４より下側を下リンクアーム部１７に形成し、上リンクアーム部１６と下リンクアーム部１７は逆「く」の字形状に形成し、下リンクアーム部１７よりも上リンクアーム部１６を長く形成する。また、上側リンク杆１３は、下リンクアーム部１７が回動軸１４を基準に下方に至るに従い前側に位置するように、傾斜させて取付ける。１９は上側リンク杆１３を取付けるブラケットである。
【０００９】
しかして、上側リンク杆１３の下部には、伝動部材（ロッド）２０の上部を軸２１により取付ける。伝動部材２０の下部は下側リンク２２の上下中間部に軸２３により取付ける。
下側リンク２２は、その上部を背凭フレーム３の側部フレーム１５に回動軸２４により回動自在に取付ける。下側リンク２２の下部には、後突感知体１２を取付軸２５により取付ける。
後突感知体１２は、後方から衝突された着座者が慣性によって後方移動することにより後方移動し、このエネルギーがＬの下側リンク２２と伝動部材２０を介して上側リンク杆１３に伝達され、上側リンク杆１３はこれによりヘッドレスト６を前方移動させ、着座者の頭部を支持する。
【００１０】
この場合、後突感知体１２が後方移動すると、下側リンク２２は伝動部材２０を下方に牽引し、伝動部材２０は上側リンク杆１３の下部を下方回動させ、上側リンク杆１３の上部は前方回動してヘッドレスト６を前方移動させる。
したがって、上側リンク杆１３は、前記後突感知体１２に移動量を増幅させてヘッドレスト６を前方移動させ、ヘッドレスト６の移動量を十分に確保でき、着座者の頭部の支持を確実にする。
また、リンク機構Ｌの内の一部または全部は、下板状に形成し、夫々、前記背凭フレーム３の左右側部フレーム１５に取付けると、左右の左右側部フレーム１５の間には前記後突感知体１２が位置するだけであり、着座者に着座時の違和感あるいは不快感を与えない。
２６、２７はバネである。
【００１１】
しかして、背凭シート２の背凭フレーム３には、板状支持材３０を設ける。板状支持材３０は着座者の上体（腰部を含む上半身）を支持するものである。板状支持材３０は着座者の上体を「面」で支持して、着座姿勢を安定させ、ヘッドレスト６による頭部の支持を良好にさせる。
即ち、従来の上下に並設したジグザグバネ構成では、着座者の上体は荷重により後方移動する各ジグザグバネにより「線」で支持されるので、着座姿勢が安定せず、後突のとき前方移動するヘッドレスト６が頭部を支持しても、着座者の上体が後方移動してしまって、頭部と上体との位置関係がかえって不安定になるが、本願では、板状支持材３０により着座者の上体全体を「面」で支持できて、前方移動するヘッドレスト６が頭部を支持しているときに、板状支持材３０が着座者の上体を「面」で支持するので、頭部を含めた着座者の着座姿勢を極めて安定させる。
【００１２】
前記板状支持材３０は、略四角形の一枚板状のプレート体３１により形成し、プレート体３１は、ポリプロピレン等の合成樹脂により、着座者を支持しうる所定の強度を有しつつ、着座者からの後方荷重（体重の場合も含む）を受けたときある程度弾性変形しながら荷重支持するように構成すると、所謂「当たり」と呼ばれる背当たり時の感触を柔軟にできて、好適である。
板状支持材３０は、前記プレート体３１をジグザグスプリングやフォームドワイヤスプリング等のワイヤスプリング３２を介して背凭フレーム３に前後移動自在に取付けて構成し、板状支持材３０は面状態を保持したまま前後して着座者を支持する。
【００１３】
この場合、前記ワイヤスプリング３２は、所定の弾性を有しており、プレート体３１に荷重が掛かったときに、プレート体３１全体が面形状を保持したまま後方移動しうるように構成する。
しかして、前記プレート体３１の上縁は、中央部が低い円弧形状の上側円弧部３３に形成し、上側円弧部３３は平均的着座者の第九胸椎付近Ｃより上方に位置させる。
第九胸椎付近Ｃは、上体の重心位置であり、着座姿勢において脊柱の中でも変化しない部分（移動量が少）であり、プレート体３１の上縁を第九胸椎付近Ｃより上方に位置させることで、板状支持材３０は着座者の上体の重心位置を支持する。
この場合、ワイヤスプリング３２のうち上側ワイヤスプリング３２Ａは、第九胸椎付近Ｃよりやや下方に位置させ、第九胸椎付近Ｃより斜め後側下方に掛かる荷重を支持するようにすると、一層、着座者の上体を有効に支持できて、好適である。
【００１４】
しかして、前記上側円弧部３３を有するプレート体３１の上側部分３４の上側側縁３５は、略直線状に形成して、上側部分３４が略同一の左右幅を有するように形成する。これにより、上側部分３４は着座者の上体を面状態で支持できる。
上側部分３４の下方のプレート体３１のプレート中間部分３６は、その上下中間部が最も幅狭になるように、その左右側縁を円弧形状の中間円弧部３７に夫々形成する。着座者のウエスト近傍は、着座姿勢においてそれ程支持を必要とせず、むしろ圧迫による着座疲労・腰痛の原因となるので、プレート中間部分３６の左右側縁は中間円弧部３７に形成し、圧迫から着座者を開放する。また、着座者のウエスト近傍のサイズは個人差が大きく、この点でも、プレート体３１のプレート中間部分３６を中間円弧部３７に形成すると、好適である。
【００１５】
この場合、プレート体３１のプレート中間部分３６の後方に、後突感知体１２を位置させる。
即ち、背凭フレーム３に板状支持材３０を設けたことで、板状支持材３０の上端から下端の何れかの部分の後方に後突感知体１２を設ければ後突を感知できるようになる点、板状支持材３０のプレート中間部分３６は後方移動量が大きく後突のとき後突感知体１２を大きく移動させて確実に後突を感知できる点、また、後突感知体１２を上方に設けると、その部分の板状支持材３０を所定量後方移動させることになって、着座者の上体の支持が不足してしまう点等の理由から、プレート中間部分３６の後方に後突感知体１２を位置させる。
したがって、板状支持材３０による着座者の支持と、後突感知体１２による後突の感知の確実性とを両立させられる。
【００１６】
しかして、プレート中間部分３６の下方のプレート体３１の下側部分４０は、左右両側に夫々側方に突き出る腸骨支持部４１を形成し、腸骨支持部４１より下側は下方に至るに従い幅狭の円弧形状の下側円弧部４２に形成し、左右の下側円弧部４２の合流部に下側に突き出る仙骨支持部４３を形成する。
即ち、骨盤の上部を形成する腸骨Ｒ部分近傍を腸骨支持部４１により支持することで着座者の腰部を確実にホールドするようにしている。
同様に、着座者の仙骨Ｓ部分近傍を仙骨支持部４３により支持することで着座者の腰部を確実にホールドする。
【００１７】
しかして、ワイヤスプリング３２のうち下側ワイヤスプリング３２Ｂは、前記腸骨支持部４１よりも上側であって中間円弧部３７の最幅狭部分より下方に位置させると、着座者の腰部を有効に支持できて、好適である。
即ち、上側ワイヤスプリング３２Ａと下側ワイヤスプリング３２Ｂにより着座者の第九胸椎付近および骨盤・仙骨近傍を支持することにより、着座者の背中（腰）は上下２点で支持され、上側ワイヤスプリング３２Ａと下側ワイヤスプリング３２Ｂの間の背骨に掛かる圧力を抑制することで、着座時の疲労を軽減させる作用効果が期待でき、好適である。
【００１８】
また、骨盤・仙骨近傍に下側ワイヤスプリング３２Ｂを設けているので、後突のときには板状支持材３０の下側部分が「面」となって一体的に後方移動し、これにより後突感知体１２を確実に後方移動させて、後突の感知を確実にする作用も期待している。
しかして、ワイヤスプリング３２は、前記上側ワイヤスプリング３２Ａと下側ワイヤスプリング３２Ｂの上下２本並設し、一枚板状のプレート体３１は上下左右４箇所で支持されて、面状体で着座者を支持する。ワイヤスプリング３２の上側ワイヤスプリング３２Ａと下側ワイヤスプリング３２Ｂは、何れも左右両端部を背凭フレーム３に固定状態に取付け、その中間部は適宜上下方向に屈曲させた屈曲部４４に形成し、屈曲部４４によりプレート体３１を面状態で支持するように構成する。
また、ワイヤスプリング３２の左右中間部は、屈曲部４４の所定部分を係止具４５等の任意の構成により板状支持材３０に固定する。
【００１９】
しかして、ヘッドレスト６と背凭フレーム３との間には、後突前、ヘッドレスト６を保持する保持機構５０を設ける。
即ち、後突以外の原因によって、ヘッドレスト６が前方移動するのを保持機構５０により防止するのである。
保持機構５０は、背凭フレーム３の上部フレーム５１に、アクティブ機構Ａを保持する保持部５２を設けて構成する。保持部５２は、後突感知体１２に掛かる荷重が一定以下のときは、アクティブ機構Ａの作動を停止させて、ヘッドレスト６を所定位置に保持して、アクティブ機構Ａを設けていない車両用シート１と同等の商品性を確保するように、構成している。
【００２０】
即ち、後突以外の原因により、ヘッドレスト６が前方に移動してしまうと、着座者は頭部をヘッドレスト６により押されて不快感を感じるので、通常着座状態では保持機構５０によりヘッドレスト６を保持してヘッドレスト６の前後動を防止する。
前記保持部５２は、一対の先端が自由端の舌片形状の係合体５３の基部を連結部５４により連結して略Ｕ型形状に形成する。保持部５２は、連結部５４を螺子等の止着具５５により上部フレーム５１の取付部５７に固定して取付ける。
【００２１】
前記係合体５３は、一対の各先端の間隔に比して中間の間隔を大きく形成し、一対の係合体５３によりアクティブ機構Ａの一部を挟持して保持する。実施例では、アクティブ機構Ａの一部を構成するヘッドレスト取付杆１０が上方から係合体５３間の嵌合溝５６に嵌合するように構成している。
この場合、嵌合溝５６に嵌合する部分のヘッドレスト取付杆１０の断面形状を、略円形に形成し、一対の係合体５３の内面もヘッドレスト取付杆１０に外径に合わせた円弧面に形成すると、ヘッドレスト取付杆１０と保持部５２の嵌合したときの保持力の設定が容易・確実になって、好適である。
【００２２】
また、保持部５２は、合成樹脂と金属バネ板との二種構成とし、合成樹脂製連結部５４Ａと金属製連結部５４Ｂとにより連結部５４を形成し、連結部５４に続いて合成樹脂製係合体５３Ａと金属製係合体５３Ｂとにより係合体５３を形成すると、合成樹脂により嵌合するときの異音発生を防止すると共に、ヘッドレスト取付杆１０と係合体５３とが錆びて互いに固着されるのを回避する。
即ち、合成樹脂製連結部５４Ａと金属製連結部５４Ｂおよび合成樹脂製係合体５３Ａと金属製係合体５３Ｂは、回動方向（厚さ方向）に層状態に重ねて形成し、合成樹脂製係合体５３Ａと金属製係合体５３Ｂとは互いに弾性変形するように構成する。
【００２３】
しかして、前記保持機構５０は、前記保持部５２を、前記一対のピラー支持部材１１間に一個設ければよいが、複数設けてもよく、図５の実施例では前記一対のピラー支持部材１１間に２個設けている。
【００２４】
（実施例の作用）
背凭シート２の背凭フレーム３には板状支持材３０を設け、板状支持材３０は略四角形の一枚板状に形成したプレート体３１をワイヤスプリング３２を介して背凭フレーム３に前後移動自在に取付けて構成しているから、板状支持材３０は、保持したまま前後移動して着座者を支持する。
また、板状支持材３０のプレート体３１は略四角形の一枚板状に形成しているから、プレート体３１の所定部分にのみ掛かる荷重も、プレート体３１全体が後方に移動することで上下左右に荷重を分散させ、確実に支持する。
【００２５】
即ち、例えば、上下にプレート体３１を分割して形成すると、上下のプレート体３１の間の部分に荷重が掛かったとき、上下のプレート体３１は夫々回転して荷重を確実に支持できないことがあるが、本願は、略四角形の一枚板状のプレート体３１により板状支持材３０を形成しているので、上下中間に掛かる荷重も板状支持材３０全体により確実に受け止めて支持する。
【００２６】
しかして、背凭フレーム３には、上側リンク杆１３を介してヘッドレスト取付杆１０を取付け、ヘッドレスト取付杆１０にはヘッドレスト６のピラー８を支持するピラー支持部材ピラー支持部材１１を固定しているから、後方から衝撃を受けて慣性で着座者が後方へ移動すると、プレート体３１が後方移動し、プレート体３１は後突感知体１２を後方移動させ、後突感知体１２の後方移動により下側リンク２２が回動して伝動部材２０を下方に牽引し、伝動部材２０は上側リンク杆１３を回動軸１４中心に下方回動させ、上側リンク杆１３の上部は回動軸１４中心に前方回動し、これによりヘッドレスト６は軸２１中心に前方移動する。
【００２７】
したがって、ヘッドレスト６は上側リンク杆１３により前方回動して頭部を支持し、むち打ち症防止効果を奏する。
この場合、後突感知体１２はプレート体３１の後側に、該プレート体３１の前後移動量（特に後方移動量）を想定して所定間隔おいて設けられているから、通常の着座状態では、プレート体３１が背凭フレーム３に対して前後してクッション材４を支持し、クッション性を良好にする。しかも、プレート体３１と後突感知体１２の移動方向は同じであるから、後突による慣性が生じて着座者により押されたプレート体３１は、後突感知体１２を確実に後方移動させて、衝撃による慣性を感知する。
したがって、板状支持材３０による着座者の支持と、後突感知体１２による後突の感知の確実性とを両立させられ、合理的構成となる。
【００２８】
また、板状支持材３０のプレート体３１の上部後側に後突感知体１２を設けなくてすむので、後突のときの着座者の上体を板状支持材３０が確実に支持できする。
しかして、ヘッドレスト６と背凭フレーム３との間には、後突前に、後突時以下の荷重ではヘッドレスト６を元の位置に保持する保持機構５０を設けているから、後突以外の原因によって、ヘッドレスト６が前方移動するのを保持機構５０により防止でき、アクティブ機構Ａを設けていない車両用シート１と同等の商品性を発揮させる。
【００２９】
即ち、後突以外の原因により、ヘッドレスト６が前後に移動してしまうと、着座者は頭部をヘッドレスト６により押されて不快感を感じるが、本願では保持機構５０によりヘッドレスト６を保持するので、後突時のむち打ち症の発症を防止しつつ、後突以外の原因によるヘッドレスト６の前後動を防止してアクティブ機構Ａを設けていない車両用シート１と同等の着座感を提供できる。
保持機構５０は、背凭フレーム３の上部フレーム５１に、アクティブ機構Ａを保持する保持部５２を設けて構成し、保持部５２は、後突感知体１２に掛かる荷重が一定以下のときはアクティブ機構Ａの作動を停止させるように構成しているから、荷重が一定以下のときは、ヘッドレスト６を前後動しないように保持して、着座者の頭部をヘッドレスト６が押さないをようにして着座感の低下を抑制し、一定以上の荷重が掛かると、保持部５２はアクティブ機構Ａを開放して作動させ、ヘッドレスト６を後突感知体１２が後方移動するエネルギーにより前方移動させて頭部を支持し、むち打ち症の発症を防止する。
【００３０】
保持部５２は、一対の先端が自由端の舌片形状の係合体５３の基部を連結部５４により連結して略Ｕ型形状に形成し、係合体５３は、中間の間隔が大きく、先端の間隔を小に形成しているから、一対の係合体５３によりアクティブ機構Ａの一部を挟持して保持し、係合体５３の保持力より大なる荷重が掛かったときには係合体５３がアクティブ機構Ａの一部を開放し、ヘッドレスト６を前方移動させる。
この場合、アクティブ機構Ａの一部はヘッドレスト取付杆１０により構成しているから、ヘッドレスト取付杆１０は上方から一対の係合体５３を押し広げて、係合体５３間の嵌合溝５６に嵌合し、嵌合すると、係合体５３自体の弾性復元力によりヘッドレスト取付杆１０は保持される。
したがって、ヘッドレスト取付杆１０は一定以上の荷重が掛かったときには、一対の係合体５３を押し広げて嵌合溝５６から離脱し、アクティブ機構Ａはヘッドレスト６を前方移動させる。
【００３１】
しかし、ヘッドレスト取付杆１０に一対の係合体５３を押し広げる荷重が一定以下のときは、ヘッドレスト取付杆１０は係合体５３から開放されずに保持されて、ヘッドレスト６を前後動しないように保持する。
したがって、着座者の頭部をヘッドレスト６が押さないをようにして着座感の低下を抑制する。
しかして、嵌合溝５６に嵌合する部分のヘッドレスト取付杆１０の断面形状を、略円形に形成し、一対の係合体５３の内面もヘッドレスト取付杆１０に外径に合わせた円弧面に形成しているから、ヘッドレスト取付杆１０と保持部５２との嵌合したときの保持力の設定が容易・確実になる。
【００３２】
また、保持部５２は、合成樹脂と金属を重ねて構成し、合成樹脂製連結部５４Ａと金属製連結部５４Ｂとにより連結部５４を形成し、連結部５４に続いて合成樹脂製係合体５３Ａと金属製係合体５３Ｂとにより係合体５３を形成しているから、金属製係合体５３Ｂの弾性復元力により係合体５３のヘッドレスト取付杆１０の保持力を強化し、また、合成樹脂製係合体５３Ａにより、ヘッドレスト取付杆１０と係合体５３とが錆びて互いに固着されてヘッドレスト取付杆１０が開放されない事態を回避でき、経年変化に対するヘッドレスト取付杆１０の保持力を一定にして保持機構５０の耐久性の低下を抑制する。
また、合成樹脂製係合体５３Ａは、ヘッドレスト取付杆１０との接触部分の異音の発生を抑制する。
また、保持部５２は、合成樹脂製連結部５４Ａと金属製連結部５４Ｂとを、合成樹脂製係合体５３Ａと金属製係合体５３Ｂとを、夫々重ねて形成しているので、製造が容易であり、保持部５２自体の組立は不要になる。
【００３３】
しかして、前記保持機構５０は、前記保持部５２を、前記一対のピラー支持部材１１間に一個設ければよいが、複数設けてもよく、実施例では２個設けているから、各保持部５２は強固にヘッドレスト取付杆１０を保持する。
なお、理解を容易にするために、前後左右上下等の方向を用いて構成を記載しているが、これにより、構成を含めた本発明が限定されるものではなく、また、特に、移動方向に関しては表現に限定されない。
【図面の簡単な説明】
【００３４】
【図１】背凭シートおよびヘッドレストの斜視図。
【図２】背凭シートフレーム側面図。
【図３】分解状態斜視図。
【図４】背凭シートフレームの斜視図（板状支持材省略）。
【図５】背凭シートフレームの斜視図。
【図６】着座状態の概略図。
【図７】保持機構部分の縦断側面図。
【図８】後突前の保持機構の縦断側面図。
【図９】後突後の保持機構の開放状態縦断側面図。
【符号の説明】
【００３５】
１…車両用シート、２…背凭シート、３…背凭フレーム、４…クッション材、５…表皮部材、６…ヘッドレスト、８…ピラー、ヘッドレスト取付杆１０…ヘッドレスト取付用杆、ピラー支持部材１１…ピラー支持部材、１３…上側リンク杆、１４…回動軸、１５…側部フレーム、２０…伝動部材、２１…軸、１６…上リンクアーム部、１７…下リンクアーム部、後突感知体１２…後突感知体、２２…下側リンク、取付軸２５…取付軸、回動軸２４…回動軸、２３…軸、３０…板状支持材、３１…プレート体、３２…ワイヤスプリング、３３…上側円弧部、３４…上側部分、３５…上側側縁、３６…プレート中間部分、３７…中間円弧部、４０…下側部分、４１…腸骨支持部、４２…下側円弧部、４３…仙骨支持部、５０…保持機構、５１…上部フレーム、５２…保持部、５３…係合体、５３Ａ…合成樹脂製係合体、５３Ｂ…金属製係合体、５４…連結部、５４Ａ…合成樹脂製連結部、５４Ｂ…金属製連結部。
【図１】
2006347436.tif 000003
【図２】
2006347436.tif 000004
【図３】
2006347436.tif 000005
【図４】
2006347436.tif 000006
【図５】
2006347436.tif 000007
【図６】
2006347436.tif 000008
【図７】
2006347436.tif 000009
【図８】
2006347436.tif 000010
【図９】
2006347436.tif 000011